(57)【要約】【課題】ビード部の耐久性に優れる空気入りタイヤを提供する。【解決手段】空気入りタイヤにおいて、ビードコア２のビードワイヤ１０に、隣り合うビードワイヤ１０間で形状的に補完し合って係合する係合部１２を設け、カーカス３の折返し部３ｂとサイドゴム８との間に中間ゴム層９を配置するとともに、中間ゴム層９及び第２フィラーゴム層７のうち少なくともいずれか一方のＪＩＳ−Ａ硬度を３８〜５５の範囲内に設定する。【選択図】図１
2010274778.tif 000002
【特許請求の範囲】
【請求項１】
ビードワイヤを複数列及び複数層にリング状に形成してなり、左右一対のビード部に配設された一対のビードコアと、コーティングゴムで被覆したコードからなり、該一対のビードコア間に配置されたトロイダル状の本体部及びビードコアの回りにタイヤ幅方向で内側から外側に向かって巻き上げられた折返し部を有するカーカスと、ビードコアからカーカスの本体部に沿って半径方向外側に延びるビードフィラーであって、半径方向内端がビードコアに接する第１フィラーゴム層と、該第１フィラーゴム層の半径方向外側で少なくともカーカスの本体部と折返し部との間に位置する第２フィラーゴム層とを有するビードフィラーと、カーカスの折返し部及びビードフィラーより幅方向外側に位置しタイヤ外面の一部をなすサイドゴムと、を備えた空気入りタイヤにおいて、
前記ビードワイヤに、隣り合うビードワイヤ間で形状的に補完し合って係合する係合部を設け、
前記カーカスの折返し部と前記サイドゴムとの間に中間ゴム層を配置するとともに、中間ゴム層及び前記第２フィラーゴム層のうち少なくともいずれか一方のＪＩＳ−Ａ硬度を３８〜５５の範囲内としたことを特徴とする空気入りタイヤ。
【請求項２】
前記第１フィラーゴム層のＪＩＳ−Ａ硬度を８０以上に設定した、請求項１に記載の空気入りタイヤ。
【請求項３】
前記カーカスの折返し部の先端領域を、ＪＩＳ−Ａ硬度が６８〜８２のカバーゴムで被覆した、請求項１又は２に記載の空気入りタイヤ。
【発明の詳細な説明】
【技術分野】
【０００１】
この発明は、ビード部の耐久性に優れる空気入りタイヤに関するものであり、特にトラックやバス等の重車両に装着される重荷重用空気入りタイヤとして有利に利用できるものである。
【背景技術】
【０００２】
一般に、空気入りタイヤに荷重を負荷すると、荷重の反力を路面から受けて接地側のサイドウオールが撓み、この撓みがビード部へ伝達される。ビードコアの回りに折り返され係留されるカーカスの補強コードとしてスチールコードを使用し、高内圧、高荷重が適用されるトラック・バス用タイヤのような重荷重用タイヤにおいては、上記撓みが取り分け大きい。ここでカーカスの折返し部自体は変形し難いため、該折返し部の先端近傍における周囲のゴムに、撓み変形による大きなせん断歪みが発生する。このせん断歪みはタイヤの回転毎に繰返し生じるので、カーカスの折返し部の先端位置に亀裂が生じ、次いでセパレ−ション故障へと発展するおそれがあった。
【０００３】
このようなセパレ−ション故障を防止するために、特許文献１に開示されているように、ビード部に埋設するビードフィラーにつき、ビードコア側に硬質ゴムを、カーカスの折返し端部の先端に接する上方に軟質ゴムを組み合わせた硬軟複合ゴムを使用し、この先端近傍の上記撓みに基づき生じた歪みを、変形容易な上方軟質ゴムで吸収緩和することによって、亀裂の発生、セパレ−ション等の故障を防止することが提案され、実用化されている。
【先行技術文献】
【特許文献】
【０００４】
【特許文献１】特開平５−１６６１８号公報
【発明の概要】
【発明が解決しようとする課題】
【０００５】
しかしながら、近年の環境への配慮による省資源化やタイヤ更生化（再利用化）の推進に対応するため、また、タイヤ断面の扁平化による走行時におけるビード部への入力の増大に対応するため、ビード部の一層の耐久性向上が強く求められている。
それゆえ、この発明は、ビード部構造の適正化を図ることによりビード部の耐久性により優れる空気入りタイヤを提供することをその目的とする。
【課題を解決するための手段】
【０００６】
この発明は、上記課題を解決するためになされたものであり、この発明の空気入りタイヤは、ビードワイヤを複数列及び複数層にリング状に形成してなり、左右一対のビード部に配設された一対のビードコアと、コーティングゴムで被覆したコードからなり、該一対のビードコア間に配置されたトロイダル状の本体部及びビードコアの回りにタイヤ幅方向で内側から外側に向かって巻き上げられた折返し部を有するカーカスと、ビードコアからカーカスの本体部に沿って半径方向外側に延びるビードフィラーであって、半径方向内端がビードコアに接する第１フィラーゴム層と、該第１フィラーゴム層の半径方向外側で少なくともカーカスの本体部と折返し部との間に位置する第２フィラーゴム層とを有するビードフィラーと、カーカスの折返し部及びビードフィラーより幅方向外側に位置しタイヤ外面の一部をなすサイドゴムと、を備えた空気入りタイヤにおいて、前記ビードワイヤに、隣り合うビードワイヤ間で形状的に補完し合って係合する係合部を設け、前記カーカスの折返し部と前記サイドゴムとの間に中間ゴム層を配置するとともに、中間ゴム層及び前記第２フィラーゴム層のうち少なくともいずれか一方のＪＩＳ−Ａ硬度を３８〜５５の範囲内としたことを特徴とするものである。
ここで、ＪＩＳ−Ａ硬度は、ＪＩＳ Ｋ６２５３に準拠して、タイプＡデュロメータ（Ａ型）を用いて室温２３℃下で測定されるものである。
【０００７】
この発明の空気入りタイヤにあっては、カーカスの折返し部に隣接する中間ゴム層及び第２フィラーゴム層の少なくとも一方を軟らかくすることで、荷重負荷時のビード部の倒れ込みによるせん断変形を当該ゴム層で吸収することができるため、結果的にカーカスの折返し部の先端位置でのせん断歪を緩和することができる。
【０００８】
一方、カーカスの折返し部に隣接するゴム層を軟らかくすると、カーカスの折返し部に対する係止力が低下する結果、ビード部からカーカスが引く抜け易くなるという別問題が発生するが、この発明では、ビードワイヤに、隣り合うビードワイヤ間で形状的に補完し合って係合する係合部を設けたことにより、ビードコアの回転剛性（カーカスの引抜けを抑制する力）を高めることができるので、従来タイヤに比べてカーカスの折返し部に隣接するゴム層を軟らかくしても、十分なカーカスの耐引抜け性を確保することができる。
【０００９】
したがって、この発明によれば、ビード部構造の適正化により、二律背反するカーカス端の耐セパレーション性とカーカスの耐引抜け性を高次元で両立させることができ、ビード部の耐久性を効率的に向上させることができる。
【００１０】
なお、この発明の空気入りタイヤにあっては、第１フィラーゴム層のＪＩＳ−Ａ硬度を８０以上に設定することが好ましい。
【００１１】
また、この発明の空気入りタイヤにあっては、カーカスの折返し部の先端領域を、ＪＩＳ−Ａ硬度が６８〜８２のカバーゴムで被覆することが好ましい。
【発明の効果】
【００１２】
この発明によれば、従来タイヤに比べてカーカスの折返し部の拘束力を小さくして、ここからのセパレーションの発生を抑制しつつも、ビードコア全体としての回転剛性を大きくしてカーカスの引抜けを抑制し、もってビード部の耐久性を向上させた空気入りタイヤを提供することが可能となる。
【図面の簡単な説明】
【００１３】
【図１】この発明に従う実施形態の空気入りタイヤのビード部のタイヤ幅方向断面図であり、標準リムに装着された状態で示す。
【図２】図１に示すビードコアの一部を拡大して示す拡大断面図である。
【図３】この発明に従う他の実施形態の空気入りタイヤのビード部のタイヤ幅方向断面図であり、標準リムに装着された状態で示す。
【図４】この発明の空気入りタイヤに好適に適用可能な種々のビードワイヤを例示するタイヤ幅方向の断面図である。
【図５】この発明の空気入りタイヤに好適に適用可能な種々のビードワイヤを例示するタイヤ幅方向の断面図である。
【図６】従来技術の空気入りタイヤのビード部のタイヤ幅方向断面図であり、標準リムに装着された状態で示す。
【発明を実施するための形態】
【００１４】
以下、この発明に従う実施形態の空気入りタイヤを図面に基づいて説明する。ここで、図１は、この発明に従う実施形態の空気入りタイヤのビード部のタイヤ幅方向断面を、標準リムに装着された状態で示したものである。
【００１５】
図１に示すように、この空気入りタイヤは左右一対のビード部１に配設された一対のビードコア２と少なくとも１枚のプライから構成されているカーカス３とを備えている。カーカス３は両ビードコア２、２間においてトロイダル状に延びる本体部３ａと、ビードコア２の回りを囲みながら幅方向内側から幅方向外側に向かって巻き上げられることにより、本体部３ａの幅方向外側に配置されるとともに、ほぼ半径方向外側に向かって該本体部３ａとほぼ平行に延びる折返し部３ｂとを有する。そして、前記カーカス３の内部にはラジアル方向（子午線方向）に延びるスチール等の補強コードが多数本埋設されている。また、カーカス３の各折返し部３ｂの先端近傍領域（半径方向外側領域）３ｃにはこれを覆うようにカバーゴム４を配置している。このカバーゴム４は耐亀裂成長性の良好なゴム（ここではカーカス３のプライコーティングゴムと実質上同質でＪＩＳ−Ａ硬度が６８〜８２のゴムを使用している）から構成され、該部位における亀裂を抑制している。
【００１６】
またビード部１には、ビードコア２からカーカス３の本体部３ａに沿ってほぼ半径方向外側に延びる一対のビードフィラー５が配設されており、これらビードフィラー５は、半径方向内側部位にてカーカス３の本体部３ａと折返し部３ｂとの間にこれらに密着した状態で配置され、また、その半径方向外側部位にてカーカス３の本体部３ａの幅方向外側にこれに密着した状態で配置されている。また、ビードフィラー５は、半径方向内端がビードコア２に接する第１フィラーゴム層６と、この第１フィラーゴム層６の半径方向外側で少なくともカーカス３の本体部３ａと折返し部３ｂとの間に位置する第２フィラーゴム層７とを有する。カーカス３の折返し部３ｂとビードフィラー５の幅方向外側には、タイヤ外面の一部をなすサイドゴム８が配置されている。
【００１７】
カーカス３の折返し部３ｂとサイドゴム８との間にはこれらに接して略半径方向に延びる中間ゴム層９が介装されている。中間ゴム層９の半径方向外側端は折返し部３ｂの半径方向外側端よりも半径方向外側に位置している。
【００１８】
そして、前記第２フィラーゴム層７及び中間ゴム層９の少なくとも一方はＪＩＳ−Ａ硬度が３８〜５５の範囲内の変形容易で軟弱なゴム、この例ではいずれも硬度４９のゴムから構成されており、この結果、中間ゴム層９、第２フィラーゴム層７のＪＩＳ−Ａ硬度はそれに接しているプライコーティングゴム及びカバーゴム４のＪＩＳ−Ａ硬度より低いことになる。
【００１９】
ビードコア２は、タイヤ幅方向に複数列（図示例では８列）に並列する環状のビードワイヤ１０を複数段（図示例では６段）の積層状に積み重ねてなるものである。図２を参照してビードワイヤ１０の断面形状を詳述するに、各ビードワイヤ１０（ここでは、説明の便宜上、図２の紙面向かって左側から順にビードワイヤ１０ａ、ビードワイヤ１０ｂ、ビードワイヤ１０ｃとする）は、タイヤ幅方向断面において、タイヤ径方向に対して傾斜して（ビードベースにほぼ平行に）直線状に延びる直線部１１と、タイヤ幅方向に相互に隣接するビードワイヤ１０ａ、１０ｂ、１０ｃ間で形状的に相互に補完し合う係合部１２とを備えている。直線部１１は、タイヤ径方向の上側（紙面向かって上側）と下側（紙面向かって下側）に相互に平行して延びる上側直線部１１ａ及び下側直線部１１ｂからなる。係合部１２はこれら２つの直線部１１ａ、１１ｂ間に配置されており、紙面向かって左側に位置する第１係合部１２ａと、紙面向かって右側に位置し、第１係合部１２ａと形状的に補完する第２係合部１２ｂとを有する。ビードワイヤ１０をこのような断面形状に形成したので、例えば、ビードワイヤ１０ｂは、凸状をなすその第１係合部１２ａにて、隣接するビードワイヤ１０ａの凹状の第２係合部１２ｂと補完的に係合し、その一方で、凹状をなすその第２係合部１２ａにて、反対側に隣接するビードワイヤ１０ｃの凸状をなす第１係合部１２ａと補完的に係合している。
【００２０】
かかる実施形態の空気入りタイヤにあっては、タイヤを負荷転動させると、タイヤの接地部分に対応するビード部１は倒れ込み歪み変形が生じる。このとき、カーカス３の折返し部３ｂに隣接する中間ゴム層９及び第２フィラーゴム７のゴム硬度が低く軟らかいことから、当該折返し部３ｂの周りでせん断変形を吸収できるため、結果として、カーカス３の折返し部３ｂの先端位置の歪みを緩和することができる。
【００２１】
また、ビードコア２にあっては、隣接するビードワイヤ１０は第１及び第２係合部１２ａ、１２ｂを介して強固に係合しているので、相互に応力を伝達し易い。よって、空気充填時や経時変化時等にカーカス３からビードコア２に回転応力が付加されても、かかる回転応力が各ビードワイヤ１０間に効果的に分散され、ビードコア２全体として回転変形は小さくなり、言い換えれば回転剛性は大きくなる。また、ビードコア２に回転応力が付加された場合に、上記係合部１２による補完的係合がタイヤ幅方向に連続して形成されているため、ビードワイヤ１０のタイヤ径方向への移動は抑制される。この結果、ビードコア２にカーカス３から回転応力が付加された際の各ビードワイヤ１０の、タイヤ幅方向断面における張力分布は均一化される。
【００２２】
このようにこの空気入りタイヤによれば、互いに隣接するビードワイヤ１０間に係合部１２による強固な係合を形成することにより、ビードコア２全体として回転剛性を大きくしてカーカス３の引抜けを有効に抑制することができる。
【００２３】
したがって、前述したように、カーカス３の折返し部３ｂに隣接するゴム層７、９を軟らかくしても、これによるカーカス３の折返し部３ｂの係止力の低下以上にビードコア２によるカーカス３の係留力を向上させているので、カーカス３の引抜けは有効に防止される。
【００２４】
なお、この実施形態では、第１フィラーゴム層６のＪＩＳ−Ａ硬度は、第１フィラーゴム層６を配置する部位は荷重負荷時のビード部１の変形が小さく、カーカス３の折返し部３ｂの先端近傍領域３ｃへのせん断入力緩和には影響が少ないことから、８０以上と硬く設定しているのであり、これによりビードコア２の回転剛性をより一層高めることができ、カーカス３の引抜き防止効果を一層向上させることができる。
【００２５】
ところで、上記実施形態において、ビードワイヤ１０の係合部１２のタイヤ幅方向長さ、すなわち隣接するビードワイヤ１０がタイヤ幅方向で係合している長さの総和（ここでは、第１係合部１２ａのタイヤ幅方向長さＸ１と第２係合部１２ｂのタイヤ幅方向長さＸ２との和）は、ビードワイヤ１０のタイヤ幅方向長さＸの２０％以上とすることが好ましい。このようにすれば、確実な係合が得られるので、ビードコア２の回転剛性をさらに効果的に高めることができる。
【００２６】
また、上記実施形態では、隣接するビードワイヤ１０は互いに直接的に接触しているが、隣接するビードワイヤ１０、１０間に被覆ゴム等を介在させることもできる（図示せず）。しかしながら、被覆ゴムの経時的なクリープ変形に起因するビードコア２の形状くずれを防止するという観点からは、隣接するビードワイヤ１０を、その相互間に被覆ゴム等を介在させることなく、互いに直接接触させることが好ましい。このように、隣接するビードワイヤ１０、１０を互いに直接接触させることで、被覆ゴムを介在させた場合に比べてビードコア２の全体としての経時的変化を小さくすることができるので、さらにカーカス３の引抜けを抑制することができるとともに、カーカス３の端部の歪みを小さくすることができる。
【００２７】
図３は、この発明に従う他の実施形態の空気入りタイヤのビード部のタイヤ幅方向断面を、標準リムに装着された状態で示している。この例では、ビードワイヤ１０のタイヤ幅方向断面形状を平行四辺形とし、平行四辺形の鋭角角部を第１係合部１２ａとし、鈍角角部を第２係合部１２ｂとすることで、隣接ビードワイヤ１０、１０間で補完的な係合を形成している。また、隣接するビードワイヤ１０の当接面は、右上がりの形状となっている。図示のビード部１で、カーカス３に引抜け方向の張力が加わった際には、ビードコア２は反時計回りに回転しようとするが、当接面が右上がりであるので、右側のビードワイヤ１０は、左側のビードワイヤ１０を上方向に押し付けることから応力伝達は良い。この結果、空気充填時、荷重負荷時及び経時変化時等にビードコア２に加えられる回転応力は効率よく分散され、ビードコア２全体としての回転変形は小さくなる。しかも、上記当接面は、反時計回りの回転応力が加えられたときに、隣接するビードワイヤ１０をタイヤ径方向上側もしくは下側に押し動かしにくい方向に向き合っていることから、ビードコア２全体としてビードワイヤ１０のタイヤ幅方向断面における周方向の張力分布は均一化される。
【００２８】
そして、この例では、ビードコア２のタイヤ幅方向断面形状を平行四辺形状とし、その鋭角角部をタイヤ幅方向外側かつタイヤ径方向内側となるよう配置している。これにより、ビードコア２にカーカス引抜け方向、すなわち反時計回りの回転応力が加わった場合に、上記鋭角角部がカーカス３をリムＲに押し付けるように作用することから、カーカス３の引抜け防止効果が向上する。
【００２９】
次に、この発明に好適に利用可能な種々のビードワイヤについて図４を参照して説明する。
【００３０】
上述したように、第１係合部１２ａ及び第２係合部１２ｂの形状は、隣接するビードワイヤ１０同士を形状的に相互に補完し得るものであればよく、それらは、図１及び２に示した形状に限定されるものではない。例えば図４（ａ）〜（ｕ）に示すように、凸部及び凹部が複数であったり、曲線状であったり、キー及びキー溝型であったりしても良い。図４（ａ）〜（ｄ）、（ｉ）〜（ｌ）及び（ｍ）〜（ｑ）では、係合部１２は、２つの直線部１１ａ、１１ｂ間に全体に亘って延在している。これによれば、各ビードワイヤ１０の係合部１２は、２つの直線部１１ａ、１１ｂ間に全体に亘って延在しているので、空気充填時や経時変化時等に起因にした回転応力がビードワイヤ１０に付加されても、係合部１２に局所的に力が入力されることがなく、すなわち係合部１２に加わる力は効果的に分散される。その結果、ビードワイヤ１０の変形量は少なくなり、回転剛性はさらに高まる。図４（ｅ）〜（ｈ）に示すビードワイヤ１０は、タイヤ幅方向断面にて、同一形状の２つの方形Ｓ１、Ｓ２をずらして重ねてなる輪郭形状を有するものである。また、ビードワイヤ１０は、図４（ａ）及び（ｂ）に示すように、タイヤ径方向に上下に隣接するビードワイヤ１０は左右に揃えて配置しても良く、又は図４（ｃ）及び（ｄ）に示すように左右にずらして配置しても良い。
【００３１】
また、図４に示す例では、タイヤ幅方向断面にて、ビードコア２のタイヤ径方向上側及び下側の輪郭線１１ａ、１１ｂは直線状に延びている。これによれば、ビードコア２のタイヤ径方向下面及び上面に凹凸が生じることがなく、ビードワイヤ１０を束ねて使用する場合に形状くずれし難いので、すなわちビードコアの断面形状の安定性が高まるので、加硫時のビードコア２の崩れが抑制される。しかも、リムＲからの押圧力がビードワイヤ１０の特定の箇所に集中することがないため、ビードワイヤ１０全体に均等に力がかかり、これらによって構成されるビードコア２全体にも均等に力がかかることになるので、回転剛性としては高いものになる。加えて、下側の輪郭線１１ｂとタイヤ径方向とのなす角度は、７５度以上９０度以下の範囲にあることが好ましい（特に図４（ａ）参照）。このようにすれば、ビードワイヤ１０を巻回してビードコア２を形成した際にビードコア２に所定のテーパ角度を与え、ひいてはビード部１とリムＲとの密着性をより高めることができる。
【００３２】
なお、上述したところは、この発明の実施形態の一部を示したに過ぎず、この発明の趣旨を逸脱しない限り、これらの構成を相互に組み合わせたり、種々の変更を加えたりすることができる。例えば、図１〜４では、タイヤ幅方向に隣接するビードワイヤ１０間で補完的な係合が行われる例を示したが、図５に示すように、タイヤ径方向に隣接するビードワイヤ１０間で補完的な係合が行われるように構成することもできる。
【実施例１】
【００３３】
タイヤサイズ２７５／８０Ｒ２２．５のトラック・バス用の空気入りラジアルタイヤにおいて、ビード部構造のみを異ならせた実施例１〜４の空気入りラジアルタイヤ、従来技術に従う従来例１、２の空気入りラジアルタイヤをそれぞれ試作し、ビード部耐久性について評価を行ったので、以下説明する。
【００３４】
実施例１の空気入りラジアルタイヤは、図１に示したビード部構造を有し、実施例２〜４の空気入りラジアルタイヤは、図３に示したビード部構造をそれぞれ有する。これら実施例の空気入りラジアルタイヤのビードコアは、スチール製のビードワイヤをタイヤ幅方向に８本並列に配置し、そしてそれをタイヤ径方向に６層に巻き重ね金属帯により集結したものである。なお、各ビードワイヤ間は直接接触している。また、各実施例の空気入りラジアルタイヤでは、第２フィラーゴム層及び中間ゴム層の少なくともいずれか一方のＪＩＳ−Ａ硬度を３８〜５５の範囲内とし、また、カーカスの折返し部の先端近傍領域に被覆したカバーゴムのＪＩＳ−Ａ硬度は７２である。さらにリム径ライン位置（リム径測定位置）とカーカスの折返し部の半径方向最外位置との間のタイヤ径方向距離は、３０ｍｍである。これらの空気入りラジアルタイヤにおける詳細な諸元を表１に示す。
【００３５】
従来例１、２の空気入りラジアルタイヤは、図６に示すように、上記図１及び３に示すビードワイヤに代えて丸素線のビードワイヤを用いてビードコアを構成したものである。すなわち、ビードコアは、スチール製の１．８ｍｍ直径の１本のビードワイヤをタイヤ径方向内側から７、８、９、１０、９及び８列となるようにタイヤ幅方向及びタイヤ径方向にコイル状に巻き重ねてなり、その断面の輪郭形状はほぼ六角形である。なお、使用するビードワイヤの総体積は実施例のものとほぼ同じである。また、従来例１の空気入りラジアルタイヤでは、第２フィラーゴム層及び中間ゴム層のＪＩＳ−Ａ硬度が５５より大きく、従来例２の空気入りラジアルタイヤでは、第２フィラーゴム層及び中間ゴム層のＪＩＳ−Ａ硬度が３８〜５５の範囲内である。また、カーカスの折返し部の先端近傍領域に被覆したカバーゴムのＪＩＳ−Ａ硬度は７２である。さらにリム径ライン位置（リム径測定位置）とカーカスの折返し部の半径方向最外位置との間のタイヤ径方向距離は、３０ｍｍである。これらの空気入りラジアルタイヤにおける詳細な諸元を表１に示す。
【００３６】
これら試験用の各空気入りラジアルタイヤをサイズ８．２５のリムに装着してタイヤ車輪とし、このタイヤ車輪に空気圧８７５ｋＰａ（相対圧）を適用し、室内ドラム試験機を用い、これらタイヤを正規荷重の１５０％の荷重の作用下で６０ｋｍ／ｈの速度で負荷転動させ、ビード部が故障するまでの走行距離を測定し、この測定値から耐久性を評価した。また、ドラム試験を終えた各空気入りラジアルタイヤを解体し、故障の発生箇所を目視確認した。これらの結果を表１に示す。なお、表１中の耐久性は、従来例１の耐久性を１００としたときの指数比で示してあり、数値が大きいほど耐久性に優れている。
【００３７】
【表１】
2010274778.tif 000003
【００３８】
表１に示す結果から明らかなように、実施例１〜４の空気入りラジアルタイヤは、従来例１、２の空気入りラジアルタイヤに比べてビード部の耐久性が著しく向上することが分かる。
【産業上の利用可能性】
【００３９】
以上の説明から明らかなように、この発明によって、従来タイヤに比べてカーカスの折返し部の拘束力を小さくして、ここからのセパレーションの発生を抑制しつつも、ビードコア全体としての回転剛性を大きくしてカーカスの引抜けを抑制し、もってビード部の耐久性を向上させた空気入りタイヤを提供することが可能となった。
【符号の説明】
【００４０】
１  ビード部
２  ビードコア
３  カーカス
３ａ  カーカスの本体部
３ｂ  カーカスの折返し部
３ｃ  カーカスの先端近傍領域
４  カバーゴム
５  ビードフィラー
６  第１フィラーゴム層
７  第２フィラーゴム層
８  サイドゴム
９  中間ゴム層
１０  ビードワイヤ
１２  係合部
【図１】
2010274778.tif 000004
【図２】
2010274778.tif 000005
【図３】
2010274778.tif 000006
【図４】
2010274778.tif 000007
【図５】
2010274778.tif 000008
【図６】
2010274778.tif 000009